(57)【要約】【課題】  固定チェーンへの移動スプロケットの噛み合わせが円滑にかつ確実に行うことのできるチエーン移送装置を得ること。【解決手段】  チェーン移動装置における固定チェーン５を固定フレーム６の側面から前面にわたって設けると共に、固定フレーム６の前面と側面との角部にばね１２を配設し、ばね１２により固定チェーン５の角部部分を弾性的に保持して、固定フレーム６の側方を移動チェーン３と共に移動スプロケット４が移動するとき、固定チェーン５の角部部分のばね１２による弾性作用により移動スプロケット４の歯が固定チェーン５のローラ５ａに干渉して悪影響を与えることなく円滑に噛み合うように構成した。【選択図】図４
0003119705.tif 000002
【実用新案登録請求の範囲】
【請求項１】
チェーン用のガイドレールと、ガイドレールの上を駆動手段により走行する移動チェーンと、移動チェーンの上部に所定間隔を置いて回転自由に設けられる複数の移動スプロケットと、ガイドレールと平行状に設けられ、かつ移動スプロケットと噛み合う固定チェーンが側面に設けられた固定フレームと、移動スプロケットの下部側部材と接触して移動スプロケットが倒れずに安定よく移動するように設けた補助レールとを備えたチェーン移動装置において、固定チェーンを固定フレームの側面から前面にわたって設けると共に、固定フレームの前面と側面との角部にばねを配設し、該ばねにより固定チェーンの角部部分を弾性的に保持して、固定フレームの側方に移動チェーンと共に移動スプロケットが進入するとき、固定チェーンの角部部分のばねによる弾性作用により移動スプロケットの歯が固定チェーンのローラに干渉して悪影響を与えることなく円滑に噛み合うように構成したことを特徴とするチェーン移動装置。
【請求項２】
固定フレームの両側面と前面とにわたって一つの固定チェーンを設けると共に、固定フレームの前面と両側面との各角部にばねをそれぞれ設けて、これら各ばねにより固定チェーンの各角部部分を弾性的に保持する一方、固定フレームの両側面外方に移動チェーンを二列に配設し、かつ、これら両移動チェーンに設けられる移動スプロケットを平面視千鳥状に配置したことを特徴とする請求項１に記載のチェーン移動装置。
【考案の詳細な説明】
【技術分野】
【０００１】  本考案は、チェーン用ガイドレールと、該ガイドレールの上を駆動手段により走行する移動チェーンと、移動チェーンの上部に回転自由に設けられる複数の移動スプロケットと、上記ガイドレールと平行状に設けられ、かつ移動スプロケットと噛み合う固定チェーンが側面に設けられた固定フレームと、移動スプロケット側の下部と接触して移動スプロケットが倒れずに安定よく移動するように設けた補助レールとを備えたチェーン移動装置に関する。
【背景技術】
【０００２】  従来、この種のチェーン移動装置としては、例えばチェーン用ガイドレールと、該ガイドレールの上を駆動手段により走行する移動チェーンと、移動チェーンの上部に回転自由に設けられる複数の移動スプロケットと、上記ガイドレールと平行状に設けられ、かつ移動スプロケットと噛み合う固定チェーンが側面に設けられた固定フレームと、移動スプロケット側の下部と接触して移動スプロケットが倒れずに安定よく移動するように設けた補助レールとを備えた構成となっている。なお、移動スプロケットには、たとえば食品などの加工品を支持する支持台或いは支持体などが一体回転可能に取り付けられる。【０００３】  そして、使用に際しては、まず、前工程では、移動スプロケットが固定チェーンと噛み合わないでフリーな状態で移動チェーンによる移動のみを行って、移動スプロケットが回転したらやり難い加工作業を行うのであり、その後、次の工程では、移動スプロケットがフリーな状態から固定チェーンに噛み合って一定速度で移動しながら自転により一定速度で回転し、この回転状態のもとで別の加工作業を行うようになされている。
【考案の開示】
【考案が解決しようとする課題】
【０００４】  ところで、移動スプロケットがフリーな状態から固定チェーンと噛み合って自転に移るとき、移動スプロケットが固定チェーンに円滑に噛み合わなくてはならない。しかし、上記したように固定フレームの側面に固定チェーンを固定しただけの構成では、適宜駆動装置により移動チェーンと共に連続移動する移動スプロケットが固定フレームの側方に進入移動するとき、移動スプロケットの歯が固定チェーンに必ず円滑に噛み合うとは限らない。つまり、固定チェーンのローラに対し移動スプロケットの歯の山がいつも一定の向きで入ってくることは保障されず、そのときどきにおいて違った向きで噛み合うため歯の山とローラが干渉して固定チェーンに対し移動スプロケットが浮き上がるといった現象が発生することがある。このようなとき、移動スプロケットの下部の移動チェーンが横方向に押し出される力を受けて、噛み合っている走行前方側の移動スプロケットが固定チェーンから外れてしまうことがあり、そのため、上記加工作業が中断して不良品をたくさん作るといった問題を有していた。【０００５】  そこで、本考案は、固定チェーンへの移動スプロケットの噛み合わせが円滑にかつ確実に行うことのできるチエーン移動装置の提供を課題とする。
【課題を解決するための手段】
【０００６】  上記した問題を解決するために、本願の請求項１に記載の考案は、チェーン用のガイドレールと、ガイドレールの上を駆動手段により走行する移動チェーンと、移動チェーンの上部に回転自由に設けられる複数の移動スプロケットと、ガイドレールと平行状に設けられ、かつ移動スプロケットと噛み合う固定チェーンが側面に設けられた固定フレームと、移動スプロケットの下部側部材と接触して移動スプロケットが倒れずに安定よく移動するように設けた補助レールとを備えたチェーン移動装置において、固定チェーンを固定フレームの側面から前面にわたって設けると共に、固定フレームの前面と側面との角部にばねを配設し、該ばねにより固定チェーンの角部部分を弾性的に保持して、固定フレームの側方に移動チェーンと共に移動スプロケットが進入するとき、固定チェーンの角部部分のばねによる弾性作用により移動スプロケットの歯が固定チェーンのローラに干渉して悪影響を与えることなく円滑に噛み合うように構成したことを特徴とする。【０００７】  また、本願の請求項２に記載の考案は、請求項１の構成において、固定フレームの両側面と前面とにわたって一つの固定チェーンを設けると共に、固定フレームの前面と両側面との各角部にばねをそれぞれ設けて、これら各ばねにより固定チェーンの各角部部分を弾性的に保持する一方、固定フレームの両側面外方に移動チェーンを二列に配設し、かつ、これら両移動チェーンに設けられる移動スプロケットを平面視千鳥状に配置したことを特徴とする。
【考案の効果】
【０００８】  本考案の請求項１に記載の考案によれば、固定チェーンを固定フレームの側面から前面にわたって設けると共に、固定フレームの前面と側面との角部にばねを配設し、該ばねにより固定チェーンの角部部分を弾性的に保持しているから、固定フレームの側方に移動チェーンと共に移動スプロケットが進入するとき、固定チェーンの角部部分のばねによる弾性作用により移動スプロケットの歯が固定チェーンのローラに干渉しても浮き上がるといったことがなく、移動スプロケットが固定チェーンに円滑かつ確実に噛み合うことができる。つまり、移動スプロケットの歯が固定チェーンのローラに干渉しようとすると、移動スプロケットの歯が固定チェーンの角部部分をばねに抗して内方に押し込むことになる。この固定チェーンの角部内方への移動により移動スプロケットの歯と固定チェーンのローラとの噛み合いの不具合が解消され、これにより移動スプロケットが固定チェーンに円滑かつ確実に噛み合うことができる。【０００９】  また、本考案の請求項２に記載の考案によれば、固定フレームの両側面と前面とにわたって一つの固定チェーンが設けられていると共に、固定フレームの前面と両側面との各角部にばねをそれぞれ設けて、これら各ばねにより固定チェーンの各角部部分を弾性的に保持する一方、固定フレームの両側面外方に移動チェーンを二列に配設し、かつ、これら両移動チェーンに設けられる移動スプロケットを平面視千鳥状に配置するように構成すれば、一つの固定チェーンで二列の固定チェーンを構成して構造の簡素化を図ることができながら、しかも、二列の移動チェーンに対して移動スプロケットを千鳥状に配置することにより、一方の移動スプロケットの歯が固定チェーンの一方角部におけるローラに干渉した際、他方の移動スプロケットの歯は固定チェーンの他方角部から離れた位置に位置することになる。その結果、固定チェーンの一方角部部分における弾性作用を何ら阻害するといったことがなく、移動スプロケットの歯が固定チェーンのローラに干渉しても浮き上がるといったことがないし、移動スプロケットが固定スプロケットに円滑に噛み合うことができる。
【考案を実施するための最良の形態】
【００１０】  以下、本考案の実施の形態を図に基づいて説明する。
図１〜図４は、本考案に係るチェーン移動装置を示し、チェーン移動装置１は、チェーン用のガイドレール２と、ガイドレール２の上をモータなどの適宜駆動手段（図示せず）により走行する移動チェーン３と、移動チェーン３の上部に所定間隔を置いて回転自由に設けられる複数の移動スプロケット４…４と、ガイドレール２と平行状に設けられ、かつ移動スプロケット４と噛み合う固定チェーン５が側面に設けられた固定フレーム６と、移動スプロケット４の下部に突設した補助板７に接触して移動スプロケット４が倒れずに安定よく移動するように案内する補助レール８とを備えている。なお、図に示す実施の形態では、ガイドレール２と固定フレーム６とがベース部材１０に一体に形成され、さらに補助レール８がベース部材１０に固定されている。【００１１】  そして、図１に示すように固定チェーン５を固定フレーム６の側面から前面にわたって設けると共に、固定フレーム６の前面と側面との角部に切欠部６ａを設け、この切欠部６ａに支持ピン１１を介してばね１２を設けて、該ばね１２により固定チェーン５の角部部分を弾性的に保持している。これにより固定フレーム６の側方に移動チェーン３と共に移動スプロケット４が進入するとき、固定チェーン５の角部部分の上記ばね１２による弾性作用により移動スプロケット４の歯が固定チェーン５のローラ５ａに干渉して悪影響を与えることなく円滑に噛み合うように構成したのである。また、移動スプロケット４には、図示していないが、たとえば食品などの加工品を支持する支持台或いは支持体などが一体回転可能に取り付けられる。【００１２】  次に、以上のように構成したチェーン移動装置１の作用について説明する。
まず、前工程では、移動スプロケット４が回転したらやり難い加工作業があるため、移動スプロケット４が固定チェーン５と噛み合わないでフリーな状態で移動チェーン３と共に移動のみを行って所定の加工作業を行う。その後、次工程では、移動スプロケット４を一定回転させながら別の加工作業を行うのであり、つまり、移動スプロケット４がフリーな状態から固定チェーン５に噛み合って一定速度で移動しながら自転による一定速度の回転のもとで別の加工作業を行うのである。【００１３】  その場合、固定チェーン５を固定フレーム６の側面から前面にわたって設けると共に、固定フレーム６の前面と側面との角部にばね１２を配設し、該ばね１２により固定チェーン５の角部部分を弾性的に保持しているから、固定フレーム６の側方に移動チェーン３を介して移動スプロケット４が進入するとき、固定チェーン５の角部部分のばね１２による弾性作用により移動スプロケット４の歯が固定チェーン５のローラ５ａに干渉しても浮き上がるといったことがなく、移動スプロケット４が固定チェーン５に円滑かつ確実に噛み合うことができる。つまり、移動スプロケット４の歯が固定チェーン５のローラ５ａに干渉すると、移動スプロケット４の歯が固定チェーン５の角部部分をばね１２に抗して内方（図３の矢印方向）に押し込むことになる。この固定チェーン５の角部内方への移動により移動スプロケット４の歯と固定チェーン５のローラ５ａとの噛み合いの不具合が解消され、これにより移動スプロケット４の歯が固定チェーン５のローラ５ａに円滑かつ確実に噛み合うことができるのである。【００１４】  以上の実施の形態では、固定フレーム６の一側面に固定チェーン５と移動チェーン３を配設した一列タイプのチェーン移動装置１について説明したけれども、図５〜図７に示すように、固定フレーム６Ａの両側面に固定チェーン５Ａ，５Ｂをそれぞれ設けると共に、両側面の固定チェーン５Ａ，５Ｂ部分にそれぞれ対向して移動チェーン３Ａ，３Ｂを二列に配設した二列タイプのチェーン移動装置１Ａを構成してもよい。【００１５】  その場合、図５，６に示すように固定フレーム６Ａの両側面と前面とにわたる一つの固定チェーン５０を設けると共に、固定フレーム６Ａの前面と両側面との各角部に切欠部６ａ，６ｂを設け、この切欠部６ａ，６ｂに支持ピン１１Ａ，１１Ｂを介してばね１２Ａ，１２Ｂをそれぞれ設けて、これら各ばね１２Ａ，１２Ｂにより固定チェーン５０の各角部部分を弾性的に保持する一方、固定フレーム６Ａの両側面外方に移動チェーン３Ａ，３Ｂをガイドレール２Ａ，２Ｂを介して二列に配設し、かつ、これら両移動チェーン３Ａ，３Ｂに設けられる移動スプロケット４Ａ…４Ａ，４Ｂ…４Ｂを平面視千鳥状に配置するのである。その他の構成は先に述べた実施の形態の場合と同様なので共通の符号を付し、その説明については省略する。【００１６】  この二列タイプのチェーン移動装置１Ａによれば、先に述べた実施の形態の場合と同様の作用効果が期待できるし、しかも、チェーン移動装置１Ａによれば、一つの固定チェーン５０で図５に示すように二列の固定チェーン部５Ａ，５Ｂを構成したから固定フレーム６Ａと固定チェーン５０の共通化を図り、全体としての構造���簡素化を図ることができる。その上、二列の移動チェーン３Ａ，３Ｂに対して移動スプロケット４Ａ…４Ａ，４Ｂ…４Ｂを千鳥状に配置することにより、図７に示すように一方の移動スプロケット４Ａの歯が固定チェーン部５Ａの噛込角部におけるローラ５ａに干渉した際、他方の移動スプロケット４Ｂの歯は固定チェーン部５Ｂの噛込角部から離れた位置に位置することになる。その結果、固定チェーン部５Ａ，５Ｂの両噛込角部部分において同時に弾性作用が作用することはなく、これにより常にいずれか一方の固定チェーン部の角部部分における弾性作用を充分に発揮させることが可能となる。
【図面の簡単な説明】
【００１７】
【図１】    本考案に係るチェーン移動装置の一部省略平面図である。
【図２】    同チェーン移動装置の一部省略正面図である。
【図３】    同チェーン移動装置の一部省略側面図である。
【図４】    同チェーン移動装置の噛込状態を示す一部省略平面図である。
【図５】    別の実施形態を示すチェーン移動装置の一部省略平面図である。
【図６】    同チェーン移動装置の一部省略正面図である。
【図７】    同チェーン移動装置の噛込状態を示す一部省略平面図である。
【符号の説明】
【００１８】１        チェーン移動装置
１Ａ      チェーン移動装置
２        ガイドレール
２Ａ      ガイドレール
２Ｂ      ガイドレール
３        移動チェーン
３Ａ      移動チェーン
３Ｂ      移動チェーン
４        移動スプロケット
４Ａ      移動スプロケット
４Ｂ      移動スプロケット
５        固定チェーン
５０      固定チェーン
５Ａ      固定チェーン
５Ｂ      固定チェーン
６        固定フレーム
６Ａ      固定フレーム
６Ｂ      固定フレーム
７        補助板
８        補助レール
１２      ばね
１２Ａ    ばね
１２Ｂ    ばね
【図１】
0003119705.tif 000003
【図２】
0003119705.tif 000004
【図３】
0003119705.tif 000005
【図４】
0003119705.tif 000006
【図５】
0003119705.tif 000007
【図６】
0003119705.tif 000008
【図７】
0003119705.tif 000009